(57)【特許請求の範囲】
【請求項１】
複数のノードと、第１の回線と、第２の回線と、予備回線とを含む情報伝送装置であって、
前記複数のノードは、直列となるように前記第１及び第２の回線により順次に接続され、両端に位置する第１端及び第２端のノードが、前記予備回線を介して互いに接続されており、
前記第１端のノードは、前記第１の回線により、前記複数のノードのうち、他のノードのそれぞれに第１の情報信号を供給し、
前記他のノードのそれぞれは、前記第２の回線により、前記第１端のノードに第２の情報信号を供給し、
前記第１の回線では、第１の回線状態信号が、前記第２端のノードから前記第１端のノードに向かう方向に前記ノード間を順次に伝送され、
前記第１端のノードは、前記第１の回線状態信号により回線異常を検出し、この回線異常の検出時、前記予備回線を経由して前記第２端のノードに前記第１の情報信号を供給することによって、前記他のノードの全てに前記第１の情報信号を供給し、
前記第２の回線では、第２の回線状態信号が、前記第１端のノードから前記第２端のノードに向かう方向に前記ノード間を順次に伝送され、
前記第２端のノードは、前記第２の回線状態信号により回線異常を検出し、この回線異常の検出時、前記予備回線を経由して前記第１端のノードに前記第２の情報信号を供給することによって、前記第１端のノードが、前記他のノードの全てから前記第２の情報信号を受信する、
情報伝送装置。
【請求項２】
請求項１に記載された情報伝送装置であって、
前記複数のノードは、鉄道路線に沿って互いに距離を隔てて設けられる
情報伝送装置。
【発明の詳細な説明】
【０００１】
【発明の属する技術分野】
本発明は、情報伝送装置に関する。
【０００２】
【従来の技術】
複数のノードの間で情報を伝送する情報伝送装置としては、種々の構成のものが知られている。これらのうち、１つの情報伝送装置では、回線が複数のノードを順次に接続して一巡する。そして、この回線上で情報が右回り及び左回りに伝送される。かかる情報伝送装置では、回線が或る箇所で切断されたときでも、情報の伝送を継続できる。
【０００３】
かかる情報伝送装置において、多量の情報を伝送するには、複数の回線が設けられ、これらの回線が、それぞれ、複数のノードを順次に接続して一巡する。そして、それぞれの回線上で情報が右回り及び左回りに伝送される。この場合、複数のノードのうち、両端に位置するノードも、それぞれの回線により互いに接続される。従って、回線の敷設コストや保守コストが増大する。
【０００４】
ところで、列車集中制御装置（以下ＣＴＣ装置と称する）では、中央装置と複数の一般駅装置と端末駅装置とが、鉄道路線に沿って互いに距離を隔てて設けられる。このようなＣＴＣ装置に上述の情報伝送装置を適用した例では、それぞれの回線が、中央装置と複数の一般駅装置と端末駅装置とを順次に接続する。更に、複数の迂回回線がそれぞれの回線に対応して備えられ、これらの迂回回線が、それぞれ、端末駅装置及び中央装置を直接に接続する。この場合、端末駅装置及び中央装置の間に、回線と同数の迂回回線を敷設しなければならず、迂回回線の敷設コストや保守コストが大きい。
【０００５】
【発明が解決しようとする課題】
本発明の課題は、回線異常時に情報伝送を継続し得る情報伝送装置を提供することである。
【０００６】
本発明のもう１つの課題は、複数のノードのうち、両端に位置するノードを互いに接続する回線の数が少なくて済む情報伝送装置を提供することである。
【０００７】
本発明の更にもう１つの課題は、回線の敷設コストや保守コストを低減し得る情報伝送装置を提供することである。
【０００８】
【課題を解決するための手段】
上述した課題を解決するため、本発明に係る情報伝送装置は、複数の回線と、複数のノードと、少なくとも１つの予備回線と、２つの切替器とを含む。
【０００９】
前記複数のノードは、前記複数の回線のそれぞれにより順次に接続され、それぞれのノードが、前記複数の回線のそれぞれに対し、情報信号または回線状態信号の少なくとも一方を供給する。前記回線状態信号は、前記複数の回線のそれぞれにおいて、一定の方向に伝送される。
【００１０】
前記少なくとも１つの予備回線は、前記複数の回線の数より少ない数だけ備えられる。前記２つの切替器は、それぞれ、前記予備回線により互いに接続され、前記複数のノードのうち、両端に位置するノードに接続される。
【００１１】
前記２つの切替器のうち、少なくとも一方の切替器は、自己に接続されたノードから前記回線状態信号が供給され、前記回線状態信号を解読することにより回線異常を検出し、回線異常を検出したとき、自己に接続されたノードから前記情報信号が供給され、前記予備回線を経由して他方の切替器に前記情報信号を供給する。前記他方の切替器は、前記一方の切替器から前記情報信号が供給されたとき、自己に接続されたノードに前記情報信号を供給する。
【００１２】
上述した本発明に係る情報伝送装置において、複数のノードは、複数の回線のそれぞれにより順次に接続され、それぞれのノードが、複数の回線のそれぞれに対し、情報信号または回線状態信号の少なくとも一方を供給する。従って、それぞれの回線には、情報信号と回線状態信号とが供給され、それぞれの回線は、情報信号と回線状態信号とを伝送する。
【００１３】
回線状態信号は、複数の回線のそれぞれにおいて、一定の方向に伝送される。従って、それぞれの回線上を伝送された回線状態信号は、両端に位置するノードのうち、何れかのノードに供給される。
【００１４】
２つの切替器は、それぞれ、複数のノードのうち、両端に位置するノードに接続される。従って、それぞれの回線上を伝送された回線状態信号は、両端に位置するノードのうち、何れかのノードを経由して、そのノードに接続された切替器に供給される。
【００１５】
２つの切替器のうち、少なくとも一方の切替器は、自己に接続されたノードから回線状態信号が供給され、回線状態信号を解読することにより回線異常を検出する。従って、複数の回線のうち、何れかの回線にノイズ侵入や切断等の回線異常が生じた場合、２つの切替器のうち、何れかの切替器が回線異常を検出する。
【００１６】
２つの切替器は、それぞれ、予備回線により互いに接続される。２つの切替器のうち、上述した一方の切替器は、回線異常を検出したとき、自己に接続されたノードから情報信号が供給され、予備回線を経由して他方の切替器に情報信号を供給する。他方の切替器は、一方の切替器から情報信号が供給されたとき、自己に接続されたノードに情報信号を供給する。このように、複数の回線のうち、何れかの回線に回線異常が生じた場合、情報信号が、両端に位置するノードのうち、一方のノードから予備回線を経由して他方のノードに伝送される。従って、情報信号の迂回経路が構成され、情報伝送を継続することができる。
【００１７】
予備回線は、複数の回線の数より少ない数だけ備えられる。本発明の情報伝送装置では、予備回線の数が複数の回線の数より少なくても、上述の２つの切替器により、回線異常時に情報伝送を継続することができる。
【００１８】
既に述べたように、従来の情報伝送装置では、複数の回線が、それぞれ、複数のノードを順次に接続して一巡する。この場合、複数のノードのうち、両端に位置するノードも、それぞれの回線により互いに接続されるから、回線の敷設コストや保守コストが増大する。
【００１９】
これに対し、本発明の情報伝送装置では、両端に位置するノードを接続する予備回線の数が、複数のノードを順次に接続する回線の数より少ない。従って、回線の敷設コストや保守コストを低減できる。
【００２０】
本発明の他の特徴及びそれによる作用効果は、添付図面を参照し、更に詳しく説明する。添付図面は単なる一例を示すに過ぎない。
【００２１】
【発明の実施の形態】
図１〜図３は、本発明に係る情報伝送装置の構成を概略的に示す図である。図示のように、本発明に係る情報伝送装置は、複数の回線９１、９２と、複数のノード１１〜１６と、少なくとも１つの予備回線８１と、２つの切替器２１、２２とを含む。図示の情報伝送装置は、ＣＴＣ装置に適用した例である。図１は、複数の回線の何れも正常な場合を示す図である。
【００２２】
実施例では、２つの回線９１、９２が設けられているが、回線の数は任意の複数である。回線９１、９２は、伝送ケーブル等により構成される。
【００２３】
複数のノード１１〜１６は、それぞれの回線９１、９２により順次に接続されている。実施例では、６つのノード１１〜１６が設けられているが、ノードの数は任意の複数である。更に、複数のノード１１〜１６は、それぞれの回線９１、９２により互いに直列に接続されている。複数のノード１１〜１６は、ノード１１を起点として順次に遠ざかるように配置されている。
【００２４】
実施例において、複数のノード１１〜１６は、鉄道路線に沿って互いに距離を隔てて配置されている。ノード１１は中央装置でなり、ノード１２〜１５はそれぞれ一般駅装置でなり、ノード１６は端末駅装置でなる。中央装置でなるノード１１は、一般駅装置でなるノード１２〜１５及び端末駅装置でなるノード１６に、制御情報を供給する。一般駅装置でなるノード１２〜１５及び端末駅装置でなるノード１６は、それぞれ、自己の表示情報を、中央装置でなるノード１１に供給する。
【００２５】
本発明において、それぞれのノード１１〜１６は、回線９１に対し、情報信号Ｓ１または回線状態信号Ｕ１（Ｅ１）の少なくとも一方を供給する。更に、それぞれのノード１１〜１６は、回線９２に対し、情報信号Ｓ２または回線状態信号Ｕ２（Ｅ２）の少なくとも一方を供給する。回線状態信号Ｕ１（Ｅ１）、Ｕ２（Ｅ２）は、回線９１、９２ごとに互いに独立した信号である。回線状態信号Ｕ１（Ｅ１）は回線９１の回線状態を示す回線状態信号であり、回線状態信号Ｕ２（Ｅ２）は回線９２の回線状態を示す回線状態信号である。回線状態信号Ｕ１、Ｕ２は、それぞれ、「異常無し」を示す回線状態信号である。回線状態信号Ｅ１、Ｅ２は、それぞれ、「異常有り」を示す回線状態信号である。
【００２６】
本発明において、回線状態信号Ｕ１（Ｅ１）、Ｕ２（Ｅ２）は、複数の回線９１、９２のそれぞれにおいて、一定の方向ａ１、ａ２に伝送される。具体的には、回線状態信号Ｕ１（Ｅ１）は回線９１において一定の方向ａ１に伝送され、回線状態信号Ｕ２（Ｅ２）は回線９２において一定の方向ａ２に伝送される。
【００２７】
実施例では、複数の回線９１、９２は、回線状態信号Ｕ１（Ｅ１）、Ｕ２（Ｅ２）が互いに逆の方向ａ１、ａ２に伝送される２つの回線９１、９２を含む。方向ａ１、ａ２のうち、方向ａ１は、複数の回線９１、９２上において、ノード１６からノード１１に向かう方向である。方向ａ２は、複数の回線９１、９２上において、ノード１１からノード１６に向かう方向である。上述した２つの方向ａ１、ａ２は、互いに逆の方向である。
【００２８】
実施例において、ノード１６は、「異常無し」の回線状態信号Ｕ１を生成し、回線９１を通してノード１５に「異常無し」の回線状態信号Ｕ１を送信する。ノード１５〜１２の動作は実質的に同一であるので、代表してノード１３の動作を説明する。ノード１３は、ノード１４から回線９１を通して「異常無し」の回線状態信号Ｕ１を受信したとき、回線９１を通してノード１２に「異常無し」の回線状態信号Ｕ１を送信する。ノード１１は、ノード１２から回線９１を通して「異常無し」の回線状態信号Ｕ１を受信する。
【００２９】
更に、実施例において、ノード１１は、「異常無し」の回線状態信号Ｕ２を生成し、回線９２を通してノード１２に「異常無し」の回線状態信号Ｕ２を送信する。ノード１２〜１５の動作は実質的に同一であるので、代表してノード１４の動作を説明する。ノード１４は、ノード１３から回線９２を通して「異常無し」の回線状態信号Ｕ２を受信したとき、回線９２を通してノード１５に「異常無し」の回線状態信号Ｕ２を送信する。ノード１６は、ノード１５から回線９２を通して「異常無し」の回線状態信号Ｕ２を受信する。
【００３０】
本発明において、少なくとも１つの予備回線８１は、複数の回線９１、９２の数より少ない数だけ備えられる。実施例では、上述のように回線９１、９２の数が２つであるので、予備回線８１は、この２つより少ない数の１つだけ備えられている。実施例と異なり、回線の数が例えば４つである場合、予備回線の数は、この４つより少ない数の１〜３つの何れかとなる。予備回線８１は、上述の回線９１、９２と同様に、伝送ケーブル等により構成される。
【００３１】
２つの切替器２１、２２は、それぞれ、予備回線８１により互いに接続されている。更に、２つの切替器２１、２２は、それぞれ、複数のノード１１〜１６のうち、両端に位置するノード１１、１６に接続されている。具体的には、２つの切替器２１、２２のうち、一方の切替器２１がノード１１に接続され、他方の切替器２２がノード１６に接続されている。実施例において、一方の切替器２１は、上述の回線９１、９２のそれぞれによりノード１１に接続されており、他方の切替器２２も、上述の回線９１、９２のそれぞれによりノード１６に接続されている。
【００３２】
２つの切替器２１、２２のうち、少なくとも一方の切替器２１は、自己に接続されたノード１１から回線状態信号Ｕ１（Ｅ１）が供給され、回線状態信号Ｕ１（Ｅ１）を解読することにより回線異常を検出する。実施例では、他方の切替器２２も、自己に接続されたノード１６から回線状態信号Ｕ２（Ｅ２）が供給され、回線状態信号Ｕ２（Ｅ２）を解読することにより回線異常を検出する。
【００３３】
実施例において、ノード１１は、ノード１２から回線９１を通して「異常無し」の回線状態信号Ｕ１を受信したとき、回線９１を通して一方の切替器２１に「異常無し」の回線状態信号Ｕ１を供給する。一方の切替器２１は、ノード１１から「異常無し」の回線状態信号Ｕ１が供給されたとき、「回線９１に異常無し」と検出する。
【００３４】
更に、実施例において、ノード１６は、ノード１５から回線９２を通して「異常無し」の回線状態信号Ｕ２を受信したとき、回線９２を通して他方の切替器２２に「異常無し」の回線状態信号Ｕ２を供給する。他方の切替器２２は、ノード１６から「異常無し」の回線状態信号Ｕ２が供給されたとき、「回線９２に異常無し」と検出する。
【００３５】
実施例において、複数の回線９１、９２のうち、回線９１は、自己が回線異常と検出されないとき、回線状態信号Ｕ１の伝送方向ａ１とは逆の方向ａ２に情報信号Ｓ１を伝送する。同様にして、回線９２は、自己が回線異常と検出されないとき、回線状態信号Ｕ２の伝送方向ａ２とは逆の方向ａ１に情報信号Ｓ２を伝送する。
【００３６】
まず、回線９１上を伝送される情報信号Ｓ１に関わる動作を説明する。ノード１１は情報信号Ｓ１を生成する。この情報信号Ｓ１には、各ノード１１〜１６に対する制御情報が埋め込まれている。ノード１１は、生成した情報信号Ｓ１を、回線９１を通してノード１２に送信する。ノード１２は、ノード１１から回線９１を通して情報信号Ｓ１を受信したとき、回線９１を通してノード１３に情報信号Ｓ１を送信する。ノード１３〜１５の動作も、上述したノード１３の動作と同様である。ノード１６は、ノード１５から回線９１を通して情報信号Ｓ１を受信する。
【００３７】
次に、回線９２上を伝送される情報信号Ｓ２に関わる動作を説明する。ノード１６は、情報信号Ｓ２を生成し、生成した情報信号Ｓ２に自己の表示情報を埋め込み、この情報信号Ｓ２を、回線９２を通してノード１５に送信する。ノード１５〜１２の動作は実質的に同一であるので、代表してノード１４の動作を説明する。ノード１４は、ノード１５から回線９２を通して情報信号Ｓ２を受信したとき、ノード１５から受信した情報信号Ｓ２に自己の表示情報を埋め込み、この情報信号Ｓ２を、回線９２を通してノード１３に送信する。ノード１１は、ノード１２から回線９２を通して情報信号Ｓ２を受信する。
【００３８】
図２は、図１に示した情報伝送装置において、複数の回線のうち、１つの回線に異常が生じた場合を示す図である。図２に示すように、回線９１が隣り合うノード１３、１４の間で切断されたとする。切断箇所を参照符号Ｃ１で示す。
【００３９】
図２を参照しながら、回線９１が、隣り合うノード１３、１４の間で異常を生じた場合を説明する。図示のように、ノード１４が回線９１を通してノード１３に「異常無し」の回線状態信号Ｕ１を送信したものとする。送信された「異常無し」の回線状態信号Ｕ１は、切断Ｃ１により遮断される。
【００４０】
ノード１３は、ノード１４から回線９１を通して回線状態信号Ｕ１（Ｅ１）を受信しないとき、「異常有り」の回線状態信号Ｅ１を生成し、回線９１を通してノード１２に「異常有り」の回線状態信号Ｅ１を送信する。
【００４１】
ノード１２は、ノード１３から「異常有り」の回線状態信号Ｅ１を受信したとき、回線９１を通してノード１１に「異常有り」の回線状態信号Ｅ１を送信する。
【００４２】
ノード１１は、ノード１２から「異常有り」の回線状態信号Ｅ１を受信したとき、回線９１を通して一方の切替器２１に「異常有り」の回線状態信号Ｅ１を供給する。
【００４３】
一方の切替器２１は、ノード１１から「異常有り」の回線状態信号Ｅ１が供給されたとき、「回線９１に異常有り」と検出し、予備回線８１を通して他方の切替器２２に「異常有り」の回線状態信号Ｅ１を送信する。
【００４４】
本発明において、一方の切替器２１は、回線異常を検出したとき、自己に接続されたノード１１から情報信号Ｓ１が供給され、予備回線８１を経由して他方の切替器２２に情報信号Ｓ１を供給する。詳述すれば、ノード１１は、ノード１２から「異常有り」の回線状態信号Ｅ１を受信したとき、上述の情報信号Ｓ１を、回線９１を通して一方の切替器２１に供給する。一方の切替器２１は、供給された情報信号Ｓ１を、予備回線８１を通して他方の切替器２２に送信する。
【００４５】
本発明において、他方の切替器２２は、一方の切替器２１から情報信号Ｓ１が供給されたとき、自己に接続されたノード１６に情報信号Ｓ１を供給する。詳述すれば、他方の切替器２２は、一方の切替器２１から情報信号Ｓ１を受信したとき、受信した情報信号Ｓ１を、回線９１を通してノード１６に供給する。
【００４６】
ノード１６は、他方の切替器２２から情報信号Ｓ１が供給されたとき、回線９１を通してノード１５に情報信号Ｓ１を送信する。ノード１５は、ノード１６から回線９１を通して情報信号Ｓ１を受信したとき、回線９１を通してノード１４に情報信号Ｓ１を送信する。ノード１４〜１２の動作も、上述したノード１５の動作と同様である。
【００４７】
図２では、複数の回線９１、９２のうち、回線９２は正常である。この回線９２上を伝送される回線状態信号Ｕ２及び情報信号Ｓ２に関わる動作は、図１に示した動作と同じであるので説明を省略する。
【００４８】
図３は、図１に示した情報伝送装置において、複数の回線のうち、もう１つの回線に異常が生じた場合を示す図である。図３に示すように、回線９２が隣り合うノード１３、１４の間で切断されたとする。切断箇所を参照符号Ｃ２で示す。
【００４９】
図３を参照しながら、回線９２が、隣り合うノード１３、１４の間で異常を生じた場合を説明する。図示のように、ノード１３が回線９２を通してノード１４に「異常無し」の回線状態信号Ｕ２を送信したものとする。送信された「異常無し」の回線状態信号Ｕ２は、切断Ｃ２により遮断される。
【００５０】
ノード１４は、ノード１３から回線９２を通して回線状態信号Ｕ２（Ｅ２）を受信しないとき、「異常有り」の回線状態信号Ｅ２を生成し、回線９２を通してノード１５に「異常有り」の回線状態信号Ｅ２を送信する。更に、ノード１４は、ノード１３から回線９２を通して回線状態信号Ｕ２（Ｅ２）を受信しないとき、情報信号Ｓ２を生成し、生成した情報信号Ｓ２に自己の表示情報を埋め込み、この情報信号Ｓ２を、回線９２を通してノード１５に送信する。
【００５１】
ノード１５は、ノード１４から「異常有り」の回線状態信号Ｅ２を受信したとき、回線９２を通してノード１６に「異常有り」の回線状態信号Ｅ２を送信する。更に、ノード１５は、ノード１４から情報信号Ｓ２を受信したとき、受信した情報信号Ｓ２に自己の表示情報を埋め込み、この情報信号Ｓ２を、回線９２を通してノード１６に送信する。
【００５２】
ノード１６は、ノード１５から「異常有り」の回線状態信号Ｅ２を受信したとき、回線９２を通して他方の切替器２２に「異常有り」の回線状態信号Ｅ２を供給する。
【００５３】
他方の切替器２２は、ノード１６から「異常有り」の回線状態信号Ｅ２が供給されたとき、「回線９２に異常有り」と検出し、予備回線８１を通して一方の切替器２１に「異常有り」の回線状態信号Ｅ２を送信する。
【００５４】
実施例において、他方の切替器２２は、回線異常を検出したとき、自己に接続されたノード１６から情報信号Ｓ２が供給され、予備回線８１を経由して一方の切替器２１に情報信号Ｓ２を供給する。この動作を詳しく述べる。
【００５５】
ノード１６は、上述のようにノード１５から「異常有り」の回線状態信号Ｅ２を受信したとき、ノード１５から情報信号Ｓ２を受信する。ノード１６は、ノード１５から情報信号Ｓ２を受信したとき、受信した情報信号Ｓ２に自己の表示情報を埋め込み、この情報信号Ｓ２を、回線９２を通して他方の切替器２２に供給する。他方の切替器２２は、供給された情報信号Ｓ２を、予備回線８１を通して一方の切替器２１に送信する。
【００５６】
実施例において、一方の切替器２１は、他方の切替器２２から情報信号Ｓ２が供給されたとき、自己に接続されたノード１１に情報信号Ｓ２を供給する。詳述すれば、一方の切替器２１は、他方の切替器２２から情報信号Ｓ２を受信したとき、受信した情報信号Ｓ２を、回線９２を通してノード１１に供給する。
【００５７】
図３では、複数の回線９１、９２のうち、回線９１は正常である。この回線９１上を伝送される回線状態信号Ｕ１及び情報信号Ｓ１に関わる動作は、図１に示した動作と同じであるので説明を省略する。
【００５８】
次に、上述した本発明に係る情報伝送装置の作用及び効果を説明する。
【００５９】
複数のノード１１〜１６は、複数の回線９１、９２のそれぞれにより順次に接続される。それぞれのノード１１〜１６は、複数の回線９１、９２のそれぞれに対し、情報信号Ｓ１、Ｓ２または回線状態信号Ｕ１（Ｅ１）、Ｕ２（Ｅ２）の少なくとも一方を供給する。具体的には、それぞれのノード１１〜１６が、回線９１に対し、情報信号Ｓ１または回線状態信号Ｕ１（Ｅ１）の少なくとも一方を供給し、回線９２に対し、情報信号Ｓ２または回線状態信号Ｕ２（Ｅ２）の少なくとも一方を供給する。従って、回線９１には情報信号Ｓ１と回線状態信号Ｕ１（Ｅ１）とが供給され、回線９１は情報信号Ｓ１と回線状態信号Ｕ１（Ｅ１）とを伝送する。同様にして、回線９２には情報信号Ｓ２と回線状態信号Ｕ２（Ｅ２）とが供給され、回線９２は情報信号Ｓ２と回線状態信号Ｕ２（Ｅ２）とを伝送する。
【００６０】
回線状態信号Ｕ１（Ｅ１）、Ｕ２（Ｅ２）は、複数の回線９１、９２のそれぞれにおいて、一定の方向ａ１、ａ２に伝送される。具体的には、回線状態信号Ｕ１（Ｅ１）は回線９１において一定の方向ａ１に伝送され、回線状態信号Ｕ２（Ｅ２）は回線９２において一定の方向ａ２に伝送される。従って、それぞれの回線９１、９２上を伝送された回線状態信号Ｕ１（Ｅ１）、Ｕ２（Ｅ２）は、両端に位置するノード１１、１６のうち、何れかのノードに供給される。
【００６１】
実施例では、回線状態信号Ｕ１（Ｅ１）の伝送される方向ａ１がノード１６からノード１１に向かう方向なので、回線状態信号Ｕ１（Ｅ１）はノード１１、１６のうちノード１１に供給される。また、回線状態信号Ｕ２（Ｅ２）の伝送される方向ａ２がノード１１からノード１６に向かう方向なので、回線状態信号Ｕ２（Ｅ２）はノード１１、１６のうちノード１６に供給される。
【００６２】
２つの切替器２１、２２は、それぞれ、複数のノード１１〜１６のうち、両端に位置するノード１１、１６に接続される。従って、上述した回線状態信号Ｕ１（Ｅ１）、Ｕ２（Ｅ２）は、それぞれ、両端に位置するノード１１、１６のうち、何れかのノードを経由して、そのノードに接続された切替器に供給される。
【００６３】
実施例では、回線状態信号Ｕ１（Ｅ１）は、ノード１１を経由して、そのノード１１に接続された切替器２１に供給される。回線状態信号Ｕ２（Ｅ２）は、ノード１６を経由して、そのノード１６に接続された切替器２２に供給される。
【００６４】
２つの切替器２１、２２のうち、切替器２１は、自己に接続されたノード１１から回線状態信号Ｕ１（Ｅ１）が供給され、回線状態信号Ｕ１（Ｅ１）を解読することにより回線異常を検出する。切替器２２は、自己に接続されたノード１６から回線状態信号Ｕ２（Ｅ２）が供給され、回線状態信号Ｕ２（Ｅ２）を解読することにより回線異常を検出する。従って、複数の回線９１、９２のうち、何れかの回線にノイズ侵入や切断等の回線異常が生じた場合、２つの切替器２１、２２のうち、何れかの切替器が回線異常を検出する。
【００６５】
実施例では、切替器２１は、供給された回線状態信号Ｕ１（Ｅ１）を解読することにより、回線９１の異常を検出する。切替器２２は、供給された回線状態信号Ｕ２（Ｅ２）を解読することにより、回線９２の異常を検出する。従って、図２に示すように回線９１に異常が生じた場合、切替器２１が回線９１の異常を検出する。また、図３に示すように回線９２に異常が生じた場合、切替器２２が回線９２の異常を検出する。
【００６６】
２つの切替器２１、２２は、それぞれ、予備回線８１により互いに接続される。図２を参照しながら、２つの切替器２１、２２のうち、一方の切替器２１が回線異常を検出したときを説明する。
【００６７】
一方の切替器２１は、回線異常を検出したとき、自己に接続されたノード１１から情報信号Ｓ１が供給され、予備回線８１を経由して他方の切替器２２に情報信号Ｓ１を供給する。他方の切替器２２は、一方の切替器２１から情報信号Ｓ１が供給されたとき、自己に接続されたノード１６に情報信号Ｓ１を供給する。このように、回線９１に回線異常が生じた場合、情報信号Ｓ１が、両端に位置するノード１１、１６のうち、一方のノード１１から予備回線８１を経由して他方のノード１６に伝送される。従って、情報信号Ｓ１の迂回経路が構成され、情報伝送を継続することができる。
【００６８】
次に、図３を参照しながら、２つの切替器２１、２２のうち、他方の切替器２２が回線異常を検出したときを説明する。
【００６９】
他方の切替器２２は、回線異常を検出したとき、自己に接続されたノード１６から情報信号Ｓ２が供給され、予備回線８１を経由して一方の切替器２１に情報信号Ｓ２を供給する。一方の切替器２１は、他方の切替器２２から情報信号Ｓ２が供給されたとき、自己に接続されたノード１１に情報信号Ｓ２を供給する。このように、回線９２に回線異常が生じた場合、情報信号Ｓ２が、両端に位置するノード１１、１６のうち、他方のノード１６から予備回線８１を経由して一方のノード１１に伝送される。従って、情報信号Ｓ２の迂回経路が構成され、情報伝送を継続することができる。
【００７０】
予備回線８１は、複数の回線９１、９２の数より少ない数だけ備えられる。本発明の情報伝送装置では、予備回線８１の数が複数の回線９１、９２の数より少なくても、上述の２つの切替器２１、２２により、回線異常時に情報伝送を継続することができる。
【００７１】
既に述べたように、従来の情報伝送装置では、複数の回線が、それぞれ、複数のノードを順次に接続して一巡する。この場合、複数のノードのうち、両端に位置するノードも、それぞれの回線により互いに接続されるから、回線の敷設コストや保守コストが増大する。
【００７２】
これに対し、本発明の情報伝送装置では、両端に位置するノード１１、１６を接続する予備回線８１の数が、複数のノード１１〜１６を順次に接続する回線９１、９２の数より少ない。従って、回線の敷設コストや保守コストを低減できる。
【００７３】
【発明の効果】
以上述べたように、本発明によれば、次のような効果が得られる。
（ａ）回線異常時に情報伝送を継続し得る情報伝送装置を提供することができる。
（ｂ）複数のノードのうち、両端に位置するノードを互いに接続する回線の数が少なくて済む情報伝送装置を提供することができる。
（ｃ）回線の敷設コストや保守コストを低減し得る情報伝送装置を提供することができる。
【図面の簡単な説明】
【図１】本発明に係る情報伝送装置の構成を概略的に示す図である。
【図２】図１に示した情報伝送装置において、複数の回線のうち、１つの回線に異常が生じた場合を示す図である。
【図３】図１に示した情報伝送装置において、複数の回線のうち、もう１つの回線に異常が生じた場合を示す図である。
【符号の説明】
９１、９２                    回線
１１〜１６                    ノード
８１                          予備回線
２１、２２                    切替器
Ｓ１、Ｓ２                    情報信号
Ｕ１（Ｅ１）、Ｕ２（Ｅ２）    回線状態信号
【図１】
0004155375.tif 000002
【図２】
0004155375.tif 000003
【図３】
0004155375.tif 000004